(57)【特許請求の範囲】
【請求項１】
入力接続部と、
出力接続部と、
これらの入力接続部間が所定の通電電流で溶断可能な可溶体を介して接続された第１のバスバ及び第２のバスバとを備え、
これらの第１のバスバ及び第２のバスバの導通部同士を所定の通電電流で溶断可能な導通部間可溶体を介して接続して形成されたヒューズバスバと、
このヒューズバスバが埋設又は収納されるハウジングとからなるヒュージブルリンクユニットであって、
前記第１のバスバ及び第２のバスバの前記入力接続部は同一形状に形成され、前記ハウジングの両端部には、前記第１のバスバ及び第２のバスバの入力接続部がハウジングへの埋設状態又は収納状態でハウジングの外方へそれぞれ突出する挿通孔が設けられ、前記第１のバスバ及び第２のバスバを前記ハウジングに埋設又は収容し、入力接続部をハウジングの両側部から外方へ突出した状態で、前記ハウジングが左右対称になるように形成され、前記ハウジングの両側部から外方へ突出する前記入力接続部には、該入力接続部を前記導通部に対して屈曲可能とするスリットがそれぞれ形成されていることを特徴とするヒュージブルリンクユニット。
【請求項２】
前記出力接続部は、電線端末の相手端末に接続される端子接続部と、
コネクタに収容された相手端末と接続されるコネクタ接続部とからなり、
前記ハウジングには、前記端子接続部が相手端末と接続される端子支持部と、
前記コネクタ接続部が相手端子を収容したコネクタが嵌合するコネクタ開口部とが形成されていることを特徴とする請求項１に記載のヒュージブルリンクユニット。
【請求項３】
前記ハウジングには、ヒュージブルリンクユニットが収納されるリレーボックスの内壁に係止される係止部が設けられていることを特徴とする請求項１又は請求項２に記載のヒュージブルリンクユニット。
【発明の詳細な説明】
【技術分野】
【０００１】
本発明は、電気回路に流れる過電流を遮断するヒュージブルリンクユニットに関する。
【背景技術】
【０００２】
例えば、移動体としての車両には、車両に搭載された様々な電子機器等に電力を供給する電源供給源としてのバッテリが搭載されている。バッテリと、電子機器等に接続された電線とは、例えば、ヒュージブルリンクユニットを介して電気的に接続されて、バッテリからの電力が電子機器等に供給される。ヒュージブルリンクユニットは、それぞれの電子機器等にバッテリからの電力を分配するとともに該電子機器等に過度な電力が供給されることを防止する。
【０００３】
このようなヒュージブルリンクユニットとして、オルタネータ側とバッテリ側とから通電された電流を、ヒューズを介して分岐することにより、車種やグレードによって変わるヒューズバスバのバッテリ側の端子数とオルタネータ側の端子数の変更に対して最小限の設計変更で対応させることが可能なヒュージブルリンクユニットが提案されている（例えば、特許文献１参照）。
【先行技術文献】
【特許文献】
【０００４】
【特許文献１】特開２００４−１８６００５号公報
【発明の概要】
【発明が解決しようとする課題】
【０００５】
しかしながら、上述した従来のヒュージブルリンクユニットでは、車両側の条件により、オルタネータ側の入力方向に違いがあり、ヒューズバスバや出力形態（コネクタ数、端子数）が同じでもオルタネータ側の入力方向に対応するため、２つの種類を別々に用意する必要があった。このため、部品点数が多くなり、これを管理する工程が増え製造コストが高くなるという問題があった。
【０００６】
そこで、本発明はこのような従来の課題を解決するためになされたものであり、その目的とするところは、オルタネータの車両側条件による入力方向の違いに対し、一種類の形状で対応することができ、製造コストの低減を図ることができるヒュージブルリンクユニットを提供することにある。
【課題を解決するための手段】
【０００７】
上記目的を達成するため、本願請求項１に記載の発明は、入力接続部と、出力接続部と、これらの入力接続部間が所定の通電電流で溶断可能な可溶部を介して接続された第１のバスバ及び第２のバスバとを備え、これらの第１のバスバ及び第２のバスバの導通部同士を所定の通電電流で溶断可能な導通部間可溶体を介して接続して形成されたヒューズバスバと、このヒューズバスバが埋設又は収納されるハウジングとからなるヒュージブルリンクユニットであって、前記第１のバスバ及び第２のバスバの前記入力接続部は同一形状に形成され、前記ハウジングの両端部には、前記第１のバスバ及び第２のバスバの入力接続部がハウジングへの埋設状態又は収納状態でハウジングの外方へそれぞれ突出する挿通孔が設けられ、前記第１のバスバ及び第２のバスバを前記ハウジングに埋設又は収容し、入力接続部をハウジングの両側部から外方へ突出した状態で、前記ハウジングが左右対称になるように形成され、前記ハウジングの両側部から外方へ突出する前記入力接続部には、該入力接続部を前記導通部に対して屈曲可能とするスリットがそれぞれ形成されていることを特徴とする。
【０００９】
請求項２に記載の発明は、前記出力接続部は、電線端末の相手端末に接続される端子接続部と、コネクタに収容された相手端末と接続されるコネクタ接続部とからなり、前記ハウジングには、前記端子接続部が相手端末と接続される端子支持部と、前記コネクタ接続部が相手端子を収容したコネクタが嵌合するコネクタ開口部とが形成されていることを特徴とする。
【００１０】
請求項３に記載の発明は、前記ハウジングには、ヒュージブルリンクユニットが収納されるリレーボックスの内壁に係止される係止部が設けられていることを特徴とする。
【発明の効果】
【００１１】
請求項１に記載の発明によれば、第１のバスバ及び第２のバスバの導通部同士を所定の通電電流で溶断可能な導通部間可溶体を介して接続して形成されたヒューズバスバと、このヒューズバスバが埋設又は収納されるハウジングとからなるヒュージブルリンクユニットであって、第１のバスバ及び第２のバスバの入力接続部は同一形状に形成され、ハウジングの両端部には、第１のバスバ及び第２のバスバの入力接続部がハウジングへの埋設状態又は収納状態でハウジングの外方へそれぞれ突出する挿通孔が設けられ、第１のバスバ及び第２のバスバをハウジングに埋設又は収容し、入力接続部をハウジングの両側部から外方へ突出した状態で、ハウジングが左右対称になるように形成されている。これにより、ヒューズバスバが左右対称の場合、オルタネータ側の入力方向の違いに対して、ハウジングの側部から外方へ突出した第２のヒューズバスバの入力接続部を折り曲げる箇所を変更することにより、ヒュージブルリンクユニットの形状を変更せずにオルタネータ側の入力方向の違いに対応できる。
【００１２】
また、ヒューズバスバが左右非対称の場合、ヒュージブルリンクユニットを表裏逆にして組み付ける、又は、ヒュージブルリンクユニットの中で第１のバスバ及び第２のバスバの位置を変更して組み付けることにより、ヒュージブルリンクユニットの形状を変更せずにオルタネータ側の入力方向の違いに対応できる。
【００１３】
さらに、電線端末の相手端子の数、コネクタに収容された相手端子の数が異なる場合、及び、電線端末の相手端子の位置、コネクタに収容された相手端子の位置が異なる場合、ヒューズバスバ２を変更することにより、ヒュージブルリンクユニット１の形状を変更せずにオルタネータ側の入力方向の違い、電線端末の相手端子の位置、コネクタに収容された相手端子の位置の違い、及び、電線端末の相手端子の数、コネクタに収容された相手端子の数の違いに対応できる。
【００１４】
従って、オルタネータの車両側条件による入力方向の違いに対し、一種類のヒュージブルリンクユニットの形状で対応することができ、製造コストの低減を図ることができる。
【００１５】
加えて、ハウジングの両側部から外方へ突出する入力接続部には、該入力接続部を導通部に対して屈曲可能とするスリットがそれぞれ形成されている。ここで、ヒュージブルリンクユニットの第２のヒューズバスバは、リレーボックス内でボルト等によりオルタネータ側の端子と接続された状態でリレーボックスに係止されるため、ヒューズバスバの入力接続部を折り曲げてリレーボックス内でオルタネータ側の端子と共にリレーボックスと係止しなければならない。そして、ヒューズバスバが左右対称の場合、オルタネータ側の入力方向の違いに対して、ハウジングの側部から外方へ突出した第２のヒューズバスバの入力接続部を導通部に対して屈曲可能とするスリットにより折り曲げる方向を変更する。これにより、ヒュージブルリンクユニットの形状を変更せずにオルタネータ側の入力方向の違いに対応できる。
【００１６】
請求項２に記載の発明によれば、出力接続部は、電線端末の相手端末に接続される端子接続部と、コネクタに収容された相手端末と接続されるコネクタ接続部とからなり、ハウジングには、端子接続部が相手端末と接続される端子支持部と、コネクタ接続部が相手端子を収容したコネクタが嵌合するコネクタ開口部とが形成されている。これにより、ヒューズバスバが左右非対称の場合、ヒュージブルリンクユニットの中で第１のバスバ及び第２のバスバの位置を変更して組み付けることにより、ヒュージブルリンクユニットの形状を変更せずにオルタネータ側の入力方向の違いに対応できる。
【００１７】
請求項３に記載の発明によれば、ハウジングには、ヒュージブルリンクユニットが収納されるリレーボックスの内壁に係止される係止部が設けられている。これにより、ヒューズバスバが左右非対称の場合、ヒュージブルリンクユニットを表裏逆にして組み付けることにより、ヒュージブルリンクユニットの形状を変更せずにオルタネータ側の入力方向の違いに対応できる。
【図面の簡単な説明】
【００１８】
【図１】本発明の第１実施形態に係るヒュージブルリンクユニットを構成するヒューズバスバの正面図である。
【図２】本発明の第１実施形態に係るヒュージブルリンクユニットの上面図及び正面図である。
【図３】本発明の第１実施形態に係るヒュージブルリンクユニットの斜視図である。
【図４】本発明の第１実施形態に係るヒュージブルリンクユニットとリレーボックスの斜視図である。
【図５】本発明の第１実施形態に係るヒュージブルリンクユニットとリレーボックスの斜視図である。
【図６】本発明の第２実施形態に係るヒュージブルリンクユニットを構成するヒューズバスバの正面図である。
【図７】本発明の第２実施形態に係るヒュージブルリンクユニットとリレーボックスの斜視図である。
【図８】本発明の第２実施形態に係るヒュージブルリンクユニットとリレーボックスの斜視図である。
【図９】本発明の第３実施形態に係るヒュージブルリンクユニットを構成するヒューズバスバの正面図である。
【図１０】本発明の第３実施形態に係るヒュージブルリンクユニットとリレーボックスの斜視図である。
【図１１】本発明の第３実施形態に係るヒュージブルリンクユニットを構成するヒューズバスバの正面図である。
【図１２】本発明の第３実施形態に係るヒュージブルリンクユニットとリレーボックスの斜視図である。
【発明を実施するための形態】
【００１９】
以下、本発明の第１実施形態について図面を参照して説明する。図１から図５は、本発明の第１実施形態を示し、図１は、本発明の第１実施形態に係るヒュージブルリンクユニットを構成するヒューズバスバの正面図である。図２（ａ）は、本発明の第１実施形態に係るヒュージブルリンクユニットの上面図である。図２（ｂ）は、ヒュージブルリンクユニットの正面図である。図３は、ヒュージブルリンクユニットの斜視図である。図４及び図５は、ヒュージブルリンクユニットとリレーボックスの斜視図である。
【００２０】
図１から図５に示すように、ヒュージブルリンクユニット１は、導電性を有する金属板を加工したヒューズバスバ２と、絶縁性を有する合成樹脂材料を用いての射出成形により左右対称形状となるように形成されているハウジング３とを備えて構成されている。
【００２１】
図１に示すように、本発明の第１実施形態に係るヒューズバスバ２は、バッテリ側からの電流を通電するバッテリ側ヒューズバスバ（第１のバスバ）１０と、オルタネータ側からの電流を通電するオルタネータ側ヒューズバスバ（第２のバスバ）２０とから構成されている。バッテリ側ヒューズバスバ１０と、オルタネータ側ヒューズバスバ２０は、それぞれ、入力接続部１１、２１と、出力接続部１２、２２と、可溶体１３、２３とを備えている。
【００２２】
そして、バッテリ側ヒューズバスバ１０と、オルタネータ側ヒューズバスバ２０は、電流を入力する入力接続部１１、２１と、電流を出力する出力接続部１２、２２と、これらの入力接続部１１、１２、出力接続部２１、２２間が所定の通電電流で溶断可能なクランク状を有した可溶体１３、２３を介して接続されている。
【００２３】
バッテリ側ヒューズバスバ１０の出力接続部１２と、オルタネータ側ヒューズバスバ２０の出力接続部は、それぞれ電線端末の相手端子と接続される端子接続部１２ａ、２２ａと、コネクタに収容された相手端子と接続されるコネクタ接続部１２ｂ、２２ｂとが左右対称に構成されている。また、バッテリ側ヒューズバスバ１０の可溶体１３と、オルタネータ側ヒューズバスバ２０の可溶体２３は、それぞれ入力接続部１１、２１と、出力接続部１２、２２間が所定の通電電流で溶断可能な端子可溶体１３ａ、２３ａと、バッテリ側ヒューズバスバ１０と、オルタネータ側ヒューズバスバ２０の導通部同士を所定の通電電流で溶断可能な導通部間可溶体１３ｂ、２３ｂとから構成されている。
【００２４】
さらに、バッテリ側ヒューズバスバ１０の導通部であるバッテリ側導通部１４と、バッテリ側導通部１４に対して屈曲可能とするバッテリ側スリット１５を備えている。また、オルタネータ側ヒューズバスバ２０の導通部であるオルタネータ側導通部２４と、オルタネータ側導通部２４に対して屈曲可能とするオルタネータ側スリット２５を備えている。
【００２５】
上記のように端子接続部１２ａ、２２ａと、コネクタ接続部１２ｂ、２２ｂとが左右対称に構成されたヒューズバスバ２は、図２及び図３に示すように、ハウジング３に装着される。ハウジング３は、略直方体形状を有し、左右対称になるように形成されている。そして、ハウジング３は、上方に開口したハウジング本体３０と、コネクタ接続部１２ｂ、２２ｂが挿入され、相手端子を収容したコネクタが嵌合するコネクタ開口部３１と、端子接続部１２ａ、２１ａが挿入される端子支持部３２とを備え、ハウジング３の両端部には、バッテリ側ヒューズバスバ１０と、オルタネータ側ヒューズバスバ２０の入力接続部１１、２１が、ハウジング３への埋設状態又は収納状態でハウジング３の外方へそれぞれ突出する入力接続部挿通スリット３３（挿通孔部）が設けられている。また、ハウジング本体３０の背面には、ハウジング側係止部３４が設けられている。
【００２６】
そして、図４に示すように、ハウジング３は、ハウジング本体３０の背面に設けられたハウジング側係止部３４と、ヒュージブルリンクユニット１が収納されるリレーボックス５０の内壁に設けられたリレーボックス側係止部３５により組み付けられる。
【００２７】
ここで、ヒュージブルリンクユニット１のオルタネータ側ヒューズバスバ２０は、リレーボックス５０内でボルト等によりオルタネータ側の端子と接続された状態でリレーボックス５０に係止されるため、ヒューズバスバ２０の入力接続部２１を折り曲げてリレーボックス５０内でオルタネータ側の端子と共にリレーボックス５０と係止しなければならない。
【００２８】
従って、リレーボックス５０の右側にオルタネータ側の入力を有する車両の場合、図４に示すように、オルタネータ側スリット２５により、ハウジング３の右側部から外方へ突出するオルタネータ側ヒューズバスバの入力接続部２１を略直角に屈曲し、リレーボックス５０内でオルタネータ側の端子と共にリレーボックス５０と係止する。
【００２９】
また、リレーボックス５０の左側にオルタネータ側の入力を有する車両の場合、図１に示すように、ヒューズバスバ２は、それぞれ電線端末の相手端子と接続される端子接続部１２ａ、２２ａと、コネクタに収容された相手端子と接続されるコネクタ接続部１２ｂ、２２ｂとが左右対称に構成されている。そのため、図５に示すように、オルタネータ側スリット２５により、ハウジング３の左側部から外方へ突出するオルタネータ側ヒューズバスバ２０の入力接続部２１を略直角に屈曲し、リレーボックス５０内でオルタネータ側の端子と共にリレーボックス５０と係止する。このように、オルタネータ側の入力方向に合わせて、オルタネータ側ヒューズバスバの入力接続部２１を屈曲することにより、オルタネータの入力方向の違いに対して、ヒュージブルリンクユニット１を変えずに対応することができる。
【００３０】
このようにして、本発明の第１実施形態に係るヒュージブルリンクユニット１は、バッテリ側導通部１４とオルタネータ側導通部２４同士を所定の通電電流で溶断可能なバッテリ側可溶体１３及びオルタネータ側可溶体２３を介して接続して形成されたヒューズバスバ２と、このヒューズバスバ２が埋設又は収納されるハウジング３とからなるヒュージブルリンクユニット１であって、バッテリ側入力接続部１１及びオルタネータ側入力接続部２１は同一形状に形成され、ハウジング３の両端部には、バッテリ側入力接続部１１及びオルタネータ側入力接続部２１がハウジング３への埋設状態又は収納状態でハウジング３の外方へそれぞれ突出する入力接続部挿通スリット３３が設けられ、バッテリ側ヒューズバスバ１０及びオルタネータ側ヒューズバスバ２０をハウジング３に埋設又は収容し、バッテリ側入力接続部１１及びオルタネータ側入力接続部２１をハウジング３の両側部から外方へ突出した状態で、ハウジング３が左右対称になるように形成されている。これにより、ヒューズバスバ２が左右対称の場合、オルタネータ側の入力方向の違いに対して、ハウジング３の側部から外方へ突出したオルタネータ側入力接続部２１を折り曲げる箇所を変更することにより、ヒュージブルリンクユニット１の形状を変更せずにオルタネータ側の入力方向の違いに対応できる。
【００３１】
また、本発明の第１実施形態に係るヒュージブルリンクユニット１は、ハウジング３の両側部から外方へ突出するバッテリ側入力接続部１１及びオルタネータ側入力接続部１２には、該入力接続部１１、１２をバッテリ側導通部１４及びオルタネータ側導通部２４に対して屈曲可能とするバッテリ側スリット１５及びオルタネータ側スリット２５がそれぞれ形成されている。ここで、ヒュージブルリンクユニット１のバッテリ側ヒューズバスバは、リレーボックス内でボルト等によりオルタネータ側の端子と接続された状態でリレーボックスに係止されるため、ヒューズバスバの入力接続部を折り曲げてリレーボックス内でオルタネータ側の端子と共にリレーボックスと係止しなければならない。そして、ヒューズバスバ２が左右対称の場合、オルタネータ側の入力方向の違いに対して、ハウジング３の側部から外方へ突出したオルタネータ側入力接続部２１をオルタネータ側導通部２４に対して屈曲可能とするオルタネータ側スリット２５により折り曲げる方向を変更する。これにより、ヒュージブルリンクユニット１の形状を変更せずにオルタネータ側の入力方向の違いに対応できる。
【００３２】
次に、本発明の第２実施形態について図面を参照して説明する。図６から図８は本発明の第２実施形態を示し、上記第１実施形態と同一構成部分に同一符号を付して重複する説明を省略して述べる。図６は、本発明の第２実施形態に係るヒュージブルリンクユニットを構成するヒューズバスバの正面図である。図７及び図８は、ヒュージブルリンクユニットとリレーボックスの斜視図である。
【００３３】
図６に示すように、バッテリ側ヒューズバスバ１０の出力接続部１２と、オルタネータ側ヒューズバスバ２０の出力接続部２２は、それぞれ電線端末の相手端子と接続される端子接続部１２ａ、２２ａと、コネクタに収容された相手端子と接続されるコネクタ接続部２２ｂとから構成されている。また、バッテリ側ヒューズバスバ１０の可溶体１３と、オルタネータ側ヒューズバスバ２０の可溶体２３は、それぞれ入力接続部１１、２１と、出力接続部１２、２２間が所定の通電電流で溶断可能な端子可溶体１３ａ、２３ａと、バッテリ側ヒューズバスバ１０と、オルタネータ側ヒューズバスバ２０の導通部同士を所定の通電電流で溶断可能な導通部間可溶体１３ｂ、２３ｂとから左右非対象に構成されている。
【００３４】
そして、上記のように端子接続部１２ａ、２２ａと、コネクタ接続部２２ｂとが左右非対称に構成されたヒューズバスバ２は、図７及び図８に示すように、ハウジング３に装着される。ハウジング３は、ハウジング本体３０の背面に設けられたハウジング側係止部３４と、ヒュージブルリンクユニット１が収納されるリレーボックス５０の内壁に設けられたリレーボックス側係止部３５により組み付けられる。
【００３５】
ここで、リレーボックス５０の左側にオルタネータ側の入力を有する車両の場合、図７に示すように、オルタネータ側スリット２５により、ハウジング３の右側部から外方へ突出するオルタネータ側ヒューズバスバの入力接続部２１を略直角に屈曲し、リレーボックス５０内でオルタネータ側の端子と共にリレーボックス５０と係止する。
【００３６】
また、リレーボックス５０の右側にオルタネータ側の入力を有する車両の場合、ヒューズバスバ２は、それぞれ電線端末の相手端子と接続される端子接続部１２ａ、２２ａと、コネクタに収容された相手端子と接続されるコネクタ接続部２２ｂとが左右非対称に構成されている。そのため、図８に示すように、ヒュージブルリンクユニット１の表裏を逆にして、ハウジング本体３０の背面に設けられたハウジング側係止部３４と、ヒュージブルリンクユニット１が収納されるリレーボックス５０の内壁に設けられたリレーボックス側係止部３５により組み付けられる。
【００３７】
そして、オルタネータ側スリット２５により、ハウジング３の右側部から外方へ突出するオルタネータ側ヒューズバスバの入力接続部２１を図７に示す方向と逆方向に屈曲することにより、オルタネータの入力方向の違いに対して、ヒュージブルリンクユニット１を変えずに対応することができる。
【００３８】
このようにして、本発明の第２実施形態に係るヒュージブルリンクユニット１では、ヒューズバスバ２が左右非対称の場合、ヒュージブルリンクユニット１を表裏逆にして組み付けることにより、ヒュージブルリンクユニット１の形状を変更せずにオルタネータ側の入力方向の違いに対応できる。従って、オルタネータの車両側条件による入力方向の違いに対し、一種類のヒュージブルリンクユニット１の形状で対応することができ、製造コストの低減を図ることができる。
【００３９】
次に、本発明の第３実施形態について図面を参照して説明する。図９から図１２は、本発明の第３実施形態を示し、上記第１実施形態と同一構成部分に同一符号を付して重複する説明を省略して述べる。図９は、本発明の第３実施形態に係るヒュージブルリンクユニットを構成するヒューズバスバの正面図である。図１０は、本発明の第３実施形態に係るヒュージブルリンクユニットとリレーボックスの斜視図である。図１１は、本発明の第３実施形態に係るヒュージブルリンクユニットを構成するヒューズバスバの正面図である。図１２は、本発明の第３実施形態に係るヒュージブルリンクユニットとリレーボックスの斜視図である。
【００４０】
図９に示すように、バッテリ側ヒューズバスバ１０の出力接続部１２と、オルタネータ側ヒューズバスバ２０の出力接続部２２は、それぞれ電線端末の相手端子と接続される端子接続部１２ａ、２２ａと、コネクタに収容された相手端子と接続されるコネクタ接続部２２ｂとから構成されている。また、バッテリ側ヒューズバスバ１０の可溶体１３と、オルタネータ側ヒューズバスバ２０の可溶体２３は、それぞれ入力接続部１１、２１と、出力接続部１２、２２間が所定の通電電流で溶断可能な端子可溶体１３ａ、２３ａと、バッテリ側ヒューズバスバ１０と、オルタネータ側ヒューズバスバ２０の導通部同士を所定の通電電流で溶断可能な導通部間可溶体１３ｂ、２３ｂとから左右非対象に構成されている。
【００４１】
そして、上記のように端子接続部１２ａ、２２ａと、コネクタ接続部２２ｂとが左右非対称に構成されたヒューズバスバ２は、図１０に示すように、ハウジング３に装着される。ハウジング３は、ハウジング本体３０の背面に設けられたハウジング側係止部３４と、ヒュージブルリンクユニット１が収納されるリレーボックス５０の内壁に設けられたリレーボックス側係止部３５により組み付けられる。
【００４２】
ここで、リレーボックス５０の左側にオルタネータ側の入力を有する車両の場合、図１０に示すように、オルタネータ側スリット２５により、ハウジング３の右側部から外方へ突出するオルタネータ側ヒューズバスバの入力接続部２１を略直角に屈曲し、リレーボックス５０内でオルタネータ側の端子と共にリレーボックス５０と係止する。
【００４３】
また、リレーボックス５０の右側にオルタネータ側の入力を有する車両の場合、図１１に示すように、電線端末の相手端子の数、コネクタに収容された相手端子の数、及び、電線端末の相手端子の位置、コネクタに収容された相手端子の位置に対応した端子接続部１２ａ、２２ａと、コネクタ接続部１２ｂとが左右非対象に構成されているヒューズバスバ２に変更する。
【００４４】
つまり、電線端末の相手端子の数、コネクタに収容された相手端子の数が異なる場合、及び、電線端末の相手端子の位置、コネクタに収容された相手端子の位置が異なる場合には、電線端末の相手端子の数、コネクタに収容された相手端子の数、及び、電線端末の相手端子の位置、コネクタに収容された相手端子の位置に対応するヒューズバスバ２に変更し、リレーボックス５０内でオルタネータ側の端子と共にリレーボックス５０と係止する。
【００４５】
そして、図１２に示すように、変更したヒューズバスバ２はハウジング３に装着され、ハウジング３は、ハウジング本体３０の背面に設けられたハウジング側係止部３４と、ヒュージブルリンクユニット１が収納されるリレーボックス５０の内壁に設けられたリレーボックス側係止部３５により組み付けられる。このように、ヒューズバスバ２を変更することにより、オルタネータの接続方向の違い、電線端末の相手端子の数、コネクタに収容された相手端子の数の違い、及び、電線端末の相手端子の位置、コネクタに収容された相手端子の位置の違いに対して、ハウジング３の形状を変更せずに対応することができる。
【００４６】
このようにして、本発明の第３実施形態に係るヒュージブルリンクユニット１では、ヒューズバスバ２が左右非対称の場合、電線端末の相手端子の数、コネクタに収容された相手端子の数が異なる場合、及び、電線端末の相手端子の位置、コネクタに収容された相手端子の位置が異なる場合、ヒューズバスバ２を変更することにより、ヒュージブルリンクユニット１の形状を変更せずにオルタネータ側の入力方向の違い、電線端末の相手端子の数、コネクタに収容された相手端子の数、及び、電線端末の相手端子の位置、コネクタに収容された相手端子の位置の違いに対応できる。従って、オルタネータの車両側条件による入力方向の違いに対し、一種類のヒュージブルリンクユニット１の形状で対応することができ、製造コストの低減を図ることができる。
【００４７】
また、図１１に示すように、端子可溶体１３ａ、２３ａと、導通部間可溶体１３ｂ、２３ｂの各可溶体部１２、１３は、細幅でクランク状を有し、そのクランク形状の途中に低融点金属４１が加締め固定され、それぞれに所定値以上の電流が通電されると溶断されるように構成されている。
【００４８】
このように、可溶体１２、１３を低融点金属４１で加締め固定することにより、電気回路に流れる過電流を遮断し、電子機器等に過度な電力が供給されることを防止するヒュージブルリンクユニット１を提供することが可能となる。
【００４９】
このようにして、本発明の実施形態に係るヒュージブルリンクユニット１は、バッテリ側導通部１４とオルタネータ側導通部２４同士を所定の通電電流で溶断可能なバッテリ側可溶体１３及びオルタネータ側可溶体２３を介して接続して形成されたヒューズバスバ２と、このヒューズバスバ２が埋設又は収納されるハウジング３とからなるヒュージブルリンクユニット１であって、バッテリ側入力接続部１１及びオルタネータ側入力接続部２１は同一形状に形成され、ハウジング３の両端部には、バッテリ側入力接続部１１及びオルタネータ側入力接続部２１がハウジング３への埋設状態又は収納状態でハウジング３の外方へそれぞれ突出する入力接続部挿通スリット３３が設けられ、バッテリ側ヒューズバスバ１０及びオルタネータ側ヒューズバスバ２０をハウジング３に埋設又は収容し、バッテリ側入力接続部１１及びオルタネータ側入力接続部２１をハウジング３の両側部から外方へ突出した状態で、ハウジング３が左右対称になるように形成されている。これにより、ヒューズバスバ２が左右対称の場合、オルタネータ側の入力方向の違いに対して、ハウジング３の側部から外方へ突出したオルタネータ側入力接続部２１を折り曲げる箇所を変更することにより、ヒュージブルリンクユニット１の形状を変更せずにオルタネータ側の入力方向の違いに対応できる。
【００５０】
また、ヒューズバスバ２が左右非対称の場合、ヒュージブルリンクユニット１を表裏逆にして組み付ける、又は、ヒュージブルリンクユニット１の中でバッテリ側ヒューズバスバ１０及びオルタネータ側ヒューズバスバ２０の位置を変更して組み付けることにより、ヒュージブルリンクユニット１の形状を変更せずにオルタネータ側の入力方向の違いに対応できる。
【００５１】
さらに、電線端末の相手端子の数、コネクタに収容された相手端子の数が異なる場合、及び、電線端末の相手端子の位置、コネクタに収容された相手端子の位置が異なる場合、ヒューズバスバ２を変更することにより、ヒュージブルリンクユニット１の形状を変更せずにオルタネータ側の入力方向の違い、電線端末の相手端子の数、コネクタに収容された相手端子の数の違い、及び、電線端末の相手端子の位置、コネクタに収容された相手端子の位置の違いに対応できる。
【００５２】
従って、オルタネータの車両側条件による入力方向の違いに対し、一種類のヒュージブルリンクユニット１の形状で対応することができ、製造コストの低減を図ることができる。
【００５３】
また、本発明の実施形態に係るヒュージブルリンクユニット１は、ハウジング３の両側部から外方へ突出するバッテリ側入力接続部１１及びオルタネータ側入力接続部１２には、該入力接続部１１、１２をバッテリ側導通部１４及びオルタネータ側導通部２４に対して屈曲可能とするバッテリ側スリット１５及びオルタネータ側スリット２５がそれぞれ形成されている。ここで、ヒュージブルリンクユニット１のバッテリ側ヒューズバスバは、リレーボックス内でボルト等によりオルタネータ側の端子と接続された状態でリレーボックスに係止されるため、ヒューズバスバの入力接続部を折り曲げてリレーボックス内でオルタネータ側の端子と共にリレーボックスと係止しなければならない。そして、ヒューズバスバ２が左右対称の場合、オルタネータ側の入力方向の違いに対して、ハウジング３の側部から外方へ突出したオルタネータ側入力接続部２１をオルタネータ側導通部２４に対して屈曲可能とするオルタネータ側スリット２５により折り曲げる方向を変更する。これにより、ヒュージブルリンクユニット１の形状を変更せずにオルタネータ側の入力方向の違いに対応できる。
【００５４】
さらに、本発明の実施形態に係るヒュージブルリンクユニット１は、バッテリ側出力接続部１１及びオルタネータ側入力接続部２１は、電線端末の相手端末に接続される端子接続部１２ａ、２２ａと、コネクタに収容された相手端末と接続されるコネクタ接続部１２ｂ、２２ｂとからなり、ハウジング３には、端子接続部１２ａ、２２ａが相手端末と接続される端子支持部３２と、コネクタ接続部１２ｂ、２２ｂが相手端子を収容したコネクタが嵌合するコネクタ開口部３１とが形成されている。これにより、ヒューズバスバ２が左右非対称の場合、ヒュージブルリンクユニット１の中でバッテリ側ヒューズバスバ１０及びオルタネータ側ヒューズバスバ２０の位置を変更して組み付けることにより、ヒュージブルリンクユニット１の形状を変更せずにオルタネータ側の入力方向の違いに対応できる。
【００５５】
また、本発明の実施形態に係るヒュージブルリンクユニット１は、ハウジング３には、ヒュージブルリンクユニット１が収納されるリレーボックス５０の内壁に係止される係止部３４が設けられている。これにより、ヒューズバスバ２が左右非対称の場合、ヒュージブルリンクユニット１を表裏逆にして組み付けることにより、ヒュージブルリンクユニット１の形状を変更せずにオルタネータ側の入力方向の違いに対応できる。
【００５６】
以上、本発明のヒュージブルリンクユニットを図示の実施形態に基づいて説明したが、本発明はこれにこれに限定されるものではなく、各部の構成は、同様の機能を有する任意の構成のものに置き換えることができる。
【産業上の利用可能性】
【００５７】
本発明は、電気回路に流れる過電流を遮断するヒュージブルリンクユニットの製造コストの低減を図る上で極めて有用である。
【符号の説明】
【００５８】
１      ヒュージブルリンクユニット
２      ヒューズバスバ
３      ハウジング
１０    バッテリ側ヒューズバスバ
１１    入力接続部
１２    出力接続部
１２ａ  端子接続部
１２ｂ  コネクタ接続部
１３    可溶体
１３ａ  端子可溶体
１３ｂ  導通部間可溶体
１４    バッテリ側導通部
１５    バッテリ側スリット
２０    オルタネータ側ヒューズバスバ
２１    入力接続部
２２    出力接続部
２２ａ  端子接続部
２２ｂ  コネクタ接続部
２３    可溶体
２３ａ  端子可溶体
２３ｂ  導通部間可溶体
２４    オルタネータ側導通部
２５    オルタネータ側スリット
３０    ハウジング本体
３１    コネクタ開口部
３２    端子支持部
３３ａ  ハウジング側入力接続部挿通スリット
３３ｂ  リレーボックス側スリット
４１    低融点金属
５０    リレーボックス
【図１】
0005486853.tif 000002
【図２】
0005486853.tif 000003
【図３】
0005486853.tif 000004
【図４】
0005486853.tif 000005
【図５】
0005486853.tif 000006
【図６】
0005486853.tif 000007
【図７】
0005486853.tif 000008
【図８】
0005486853.tif 000009
【図９】
0005486853.tif 000010
【図１０】
0005486853.tif 000011
【図１１】
0005486853.tif 000012
【図１２】
0005486853.tif 000013